(57)【特許請求の範囲】
【請求項１】
家具枠体の閉じ位置から移動家具部を放出するための放出装置と、
駆動ユニット（７）によって蓄力され、前記駆動ユニット（７）による補助なしに前記放出装置に対して前記移動家具部を放出するための力を作用させる作用力蓄積手段と、を含んだ家具駆動装置であって、
前記放出装置（５）は回動式に取り付けられた放出レバーを有しており、且つ、
前記駆動ユニットをオン状態および／またはオフ状態に切り替えるための二個の電気または電子スイッチ装置が提供されており、前記二個のスイッチ装置（１５、１６）は前記放出装置（５）によって作動可能であることを特徴とする家具駆動装置。
【請求項２】
前記作用力蓄積手段（１４）は前記駆動ユニット（７）によって蓄力状態で拘束されることを特徴とする請求項１に記載の家具駆動装置。
【請求項３】
前記駆動ユニット（７）は前記放出装置（５）を介して前記作用力蓄積手段（１４）と共動することを特徴とする請求項１または２に記載の家具駆動装置。
【請求項４】
前記駆動ユニット（７）によって駆動される輪体上に偏心的に配置されており、前記作用力蓄積手段（１４）を蓄力するために前記放出装置（５）と共動する同調部（１１）が提供されていることを特徴とする請求項３に記載の家具駆動装置。  
【請求項５】
前記同調部（１１）のためのコントロールカム（１２）が前記放出装置（５）に提供または連結されていることを特徴とする請求項４に記載の家具駆動装置。
【請求項６】
前記駆動ユニット（７）によって駆動される前記輪体は、歯車（１０）または摩擦輪であることを特徴とする請求項４または５に記載の家具駆動装置。
【請求項７】
前記駆動ユニット（７）は電気モータを有することを特徴とする請求項１から６のいずれか一項に記載の家具駆動装置。
【請求項８】
前記作用力蓄積手段（１４）は少なくとも１つのコイルバネを有することを特徴とする請求項１から７のいずれか一項に記載の家具駆動装置。
【発明の詳細な説明】
【技術分野】
【０００１】
本発明は第１形態では、移動家具部を家具枠体内の移動家具部の閉じ位置から放出するための放出装置と、駆動ユニットによって蓄力され、家具稼動部を放出するために放出装置に対して脱力される作用力蓄積手段とを含んだ家具駆動装置に関する。この装置には駆動ユニットをオン状態および／またはオフ状態に切り替えるための少なくとも１体の電気または電子スイッチ装置が提供されている。
【背景技術】
【０００２】
一般的な家具駆動装置はＷＯ２００４／１０１９１９Ａ１などに開示されている。
【０００３】
一般的な家具駆動装置は、移動家具部を手動で蓄力する必要がない作用力蓄積手段によって放出させる。作用力蓄積手段は移動家具部とは独立して駆動ユニットによって蓄力される。
【０００４】
前述の一般的な家具駆動装置の欠点は、家具駆動装置の設置状況とは無関係に、外部、すなわち家具駆動装置の外側に配置された追加的な電気的または電子的スイッチ装置が家具駆動装置のオン状態とオフ状態を切り替えるために常に必要とされることである。
【０００５】
従って、家具駆動装置以外に、製作には常に追加的にスイッチ装置の装備が必要であり、製作には時間がかかり、複雑でコスト高となる。
【発明の概要】
【発明が解決しようとする課題】
【０００６】
本発明の目的は前述の一般的な家具駆動装置に原則的には外部スイッチ装置を不要とすることである。
【課題を解決するための手段】
【０００７】
この目的は請求項１の特徴を備えた家具駆動装置によって達成される。
【０００８】
放出装置自体が少なくとも１体のスイッチ装置を作動させることは別の外部スイッチ装置を必ずしも必要としないことを意味する。駆動ユニットにスイッチを入れさせる目的で移動家具部のために残されているスペースが十分に存在しない場合、本発明の家具駆動装置のために設置位置が選択されることもあるであろう。さらに、ユーザによって追加的に作用されるプッシュスイッチのようなものを必要とせずに、ユーザによって動かされる閉じ位置にある家具部分を家具枠体内方向に幾分押し込むか、または家具枠体内から幾分引き出すだけで駆動ユニットのスイッチを入れることも可能である。その家具部分移動動作は放出装置に伝達される。
【０００９】
しかしながら、本発明の家具駆動装置の特に選択された設置位置が、駆動ユニットのスイッチを入れるために外部スイッチ装置が必要としても、本発明の利点は駆動ユニットのスイッチを入れるためにのみスイッチ装置が必要であることを意味する。さらにこの場合にも、放出装置によって作動される家具駆動装置のスイッチ装置によって駆動ユニットはオフ状態にされる。
【００１０】
家具駆動装置のそれぞれの所望の設置位置によって、１つのスイッチ装置のみ、または２つのスイッチ装置を備える、異なる種類の家具駆動装置を提供する必要がないことは理解されよう。その代わりに２つのスイッチ装置を備えた同じ家具駆動装置を使用することが常に可能であり、この場合一方のスイッチ装置はオン状態にするため、他方のスイッチ装置はオフ状態にするために使用される。選択された設置位置のために外部スイッチ装置が使用される場合、これら２つの内部スイッチ装置のうちの一方は非作動状態でありえる。当然、１つのスイッチ装置だけを提供するだけでも、家具駆動装置の駆動ユニットはオン状態とオフ状態に切り替えられる。この場合、家具駆動装置のためのコントロールが提供されるか、または駆動ユニットをオン状態とオフ状態の両方のために提供しなければならないという事実によってスイッチ装置自体がさらに複雑とならなければならない。
【００１１】
本発明のさらなる有利な実施態様は添付の「請求の範囲」で定義されている。
【００１２】
本発明の別実施形態は請求項１から１１の家具駆動装置に関する。この装置は家具枠体内の移動家具部をその閉じ位置から放出するように移動可能に取り付けられた放出装置を有しており、放出装置への作用力伝達は駆動ユニットによって駆動されるクランクによって実行される。
【００１３】
この種の家具駆動装置はＷＯ２００４／１０１９１９Ａ１で開示されている。
【００１４】
ここで示された家具駆動装置は比較的大型である。クランクの放出装置への回転動作の伝達がクランクと放出装置へ回動可能に取り付けられたレバーによって実行されるなら、本発明の第２実施形態のごとく、構造サイズは縮小できる。
【００１５】
有利には駆動ユニットのスイッチを入れる（オン）および／または切る（オフ）ためのスイッチ装置が提供されており、スイッチ装置はレバーによって作動される。
【００１６】
本発明の家具駆動装置の全ての実施態様は、モータ駆動部を必要としないよう、駆動ユニット（例えば電動モータ）が一方向に回転するだけでよいことを特徴とする。本発明による家具駆動装置が非常に少ない数の部品で済むように、連結も不要でありえる。
【００１７】
特に好適には作用力蓄積手段は所定の幅で強度に関して調節可能である。
【００１８】
本発明のさらなる利点と詳細は以下の詳細な説明と、それらに関連する図面とによって明らかになるであろう。
【図面の簡単な説明】
【００１９】
【図１】図１は本発明による第１実施例の特徴を有する家具の斜視図である。
【図２ａ】図２ａは図１の家具枠体の一部を切り欠いた図とその詳細図である。
【図２ｂ】図２ｂは図１の家具枠体の一部を切り欠いた図とその詳細図である。
【図３ａ】図３ａは２つの異なる作動位置にある家具駆動装置を示している。
【図３ｂ】図３ｂは２つの異なる作動位置にある家具駆動装置を示している。
【図４ａ】図４ａは２つの異なる作動位置にある家具駆動装置と、カバーが取り付けられた状態を示す斜視図である。
【図４ｂ】図４ｂは２つの異なる作動位置にある家具駆動装置と、カバーが取り付けられた状態を示す斜視図である。
【図４ｃ】図４ｃは２つの異なる作動位置にある家具駆動装置と、カバーが取り付けられた状態を示す斜視図である。
【図５ａ】図５ａはカバーが外された、３つの異なる作動位置を示す平面図である。
【図５ｂ】図５ｂはカバーが外された、３つの異なる作動位置を示す平面図である。
【図５ｃ】図５ｃはカバーが外された、３つの異なる作動位置を示す平面図である。
【図６】図６は本発明による第２実施例の特徴を有する家具の斜視図である。
【図７ａ】図７ａは図６に示す家具の底部を部分的に切り欠いた図とその詳細図である。
【図７ｂ】図７ｂは図６に示す家具の底部を部分的に切り欠いた図とその詳細図である。
【図８ａ】図８ａは２つの異なる作動位置にある家具駆動装置の斜視図である。
【図８ｂ】図８ｂは２つの異なる作動位置にある家具駆動装置の斜視図である。
【図９ａ】図９ａは図８ａと図８ｂに示す家具駆動装置の平面図である。
【図９ｂ】図９ｂは図８ａと図８ｂに示す家具駆動装置の平面図である。
【発明を実施するための形態】
【００２０】
図１は、ここでは家具戸の形態で可動である、家具部分３の周囲のヒンジ４から離れた位置にある、家具枠体２上の本発明による家具駆動装置１の可能な設置位置を図示している。
【００２１】
図１の詳細は図２ａと図２ｂに図示されている。
【００２２】
本発明による家具駆動装置１は図３から図５でさらに詳細に示されている。
【００２３】
本発明の家具駆動装置１は着脱式カバー８によって閉じられる。本実施例では電動モータの形態である駆動ユニット７が示されている。
【００２４】
家具駆動装置１の放出装置５はここでは放出レバーの形態であり、その自由端にはローラ６が提供されている。このローラ６も省略できる。
【００２５】
本発明の家具駆動装置１の第１実施例の作動原理は図５ａから図５ｃで簡略的に説明されている。
【００２６】
図５ａはカバー８を外した状態の本発明による家具駆動装置１の平面図である。歯車１０を駆動するウォーム（スクリュー）９による電動モータの形態の駆動ユニット７が示されている。歯車１０には、ここでは放出装置５に提供されたコントロールカム１２と共動する歯車１０のそれぞれの角位置に応じてエントレインメント（同調）部１１が偏心的に配置されている。放出装置５は軸１３に回動式に取り付けられており、ここでは圧縮バネの形態である作用力蓄積手段１４によって作用を受ける。この場合、圧縮バネはガイド上に設置されている。
【００２７】
電気または電子スイッチ装置１５と１６がさらに図示されており、１方のスイッチ装置はスイッチが入れられると駆動ユニット７を起動し、他方のスイッチ装置１５は駆動ユニット７を停止させる。両方のスイッチ装置１５と１６は放出装置５によって作動される。この場合、スイッチ装置１５は、放出装置５に提供された突起ピン１７によって駆動力が提供される。この実施例ではスイッチ装置１６は放出レバーの自由端によって作動される。正確にはローラ６によって作動される。
【００２８】
本発明による家具駆動装置１の完全な動作サイクルを、図５ａから図５ｃに関連する実施例によって説明する。
【００２９】
図５ａでは、家具駆動装置１は、例えば図１と図２に示すようなその始動位置にある。家具本体または家具枠体２での設置位置では、移動家具部３は家具枠体２にほぼ当接しているであろう。しかし、多少突出したローラ６または別体のバネバッファの提供によって、移動家具部３の閉じ位置でも、家具駆動装置１を起動させることができるよう、移動家具部３を家具枠体内部２方向に幾分押し込むことができる。ユーザ（図示せず）が家具部３を家具枠体内方向に押すと、その作用力はローラ６によってスイッチ装置１６に伝達される。それが駆動ユニット７を起動し、スピンドル９を介して歯車１０を作動させる。歯車１０は反時計回りに回転を開始し、それによってエントレインメント部１１が放出装置５のコントロールカム１２から離れる。これが放出装置５を解放し、作用力蓄積手段１４によってそこに適用される力によって、反時計回りにハウジングから回動して離れる。
【００３０】
対応した形態で、図５ｂはハウジングから部分的に回動して離れた位置にある放出装置５を示している。この場合、移動家具部３はローラ６を介して家具枠体２から外側方向に押されて離れる。作用力蓄積手段１４の強さ、またはいかに強力にそれが調節されるか（すなわち、一定の幅で機械的に強度を変更できるか）によって、ユーザがさらに家具部３を開けるために利用できる間隙を提供するためだけに家具部３が家具枠体２から離れるか、または家具部３が放出装置５による力のみによって完全に開いた端位置にまで移動する。
【００３１】
駆動ユニット７の電動モータの回転速度によっては、エントレインメント部１１のコントロールカム１２との接触が早すぎないように、例えば図５ｂで示す位置に駆動ユニット７をなんとか停止させる必要がある。しかしそのような構造は、対応してゆっくり回転する電動モータを使用するか、または歯車１０の回転速度を減ずるトランスミッションを備えた構造で回避できるが、追加コストがかかるであろう。
【００３２】
図５ｃに示す位置では、放出装置５はその最大限にまでハウジングから回動して離れている。この場合、２つの圧縮バネの形態である作用力蓄積手段１４は完全に脱力されている。歯車１０の継続した回転運動のため、エントレインメント部１１はコントロールカム１２の第１位置と接触して放出装置５を再びハウジングに戻すように移動し始める。この戻り動作は突出ピン１７がスイッチ要素１５に当接してそれを作動させるまで続く。このように駆動ユニット７は非作動状態にされ、家具駆動装置１は図５ａに示すその始動位置に再び戻る。
【００３３】
放出装置がハウジングに再び戻されている間、作用力蓄積手段１４は放出装置５を介して駆動ユニット７によって蓄力される。
【００３４】
図６から図９は本発明による家具駆動装置１の第２実施例を示している。図６と図７に示す家具駆動装置１の設置位置は家具部３を支持しているヒンジ４の近隣である。図示の形態とは異なり、本発明の第２実施例では図１と図２の第１実施例のように家具駆動装置１をヒンジから遠く離して設置することもできる。
【００３５】
図６と図７に図示されているように、家具駆動装置１は家具枠体２の別部分に配置されている。追加的なスイッチ装置１８を提供することがさらに可能であり、その詳細についても後述する。
【００３６】
本発明の家具駆動装置１の第２実施例の構造は第１実施例のそれと非常に類似しており、同一の参照番号は同一の部材を示す。第２実施例はトランスミッション２０をさらに有しており、放出装置５はここではプッシュロッドの形態である。本発明の家具駆動装置１の第２実施例では、第１実施例に追加的に提供されたスイッチ装置１５の機能がここでは外部スイッチ装置１８によって実施されるため、家具駆動装置１のハウジング内に配置された単体のスイッチ装置１６をさらに利用している。クランク１０と１１は歯車１０とエントレインメント部１１によって形成されている。
【００３７】
作動形態を図９ａと図９ｂに関連して説明する。
【００３８】
図９ａでは本発明による家具駆動装置１は、家具部分３が多少の遊びを有して家具枠体２にほぼ当接するその始動位置にある。図６と図７に示す設置位置にある家具駆動装置１はスイッチ４付近に配置されているため、放出装置５によって駆動ユニット７にスイッチを入れるための十分な遊びが残っていない。従って、この場合にはスイッチ装置１８はヒンジ４から遠く離れて家具駆動装置１のハウジングの外側に配置され、線材（図示せず）によって駆動ユニット７に接続されている。ユーザ（図示せず）によって家具部３が家具枠体２に対して幾分内側に押されると、それが駆動ユニット７を起動するスイッチ装置１８によって検知される。それがスピンドル９の回転を開始させる。その回転運動はトランスミッション２０によって歯車１０に伝達される。この実施例ではエントレインメント部１１はレバー２２とピボット２３によって放出装置５に連結されている。歯車１０は反時計回りに回転を開始し、これによって放出装置５のプッシュロッドが家具駆動装置１のハウジングの外へ移動される。これが、第１実施例で既に説明したように家具部３を放出させる。
【００３９】
図９ｂはハウジングから最大限に外側に移動されている位置にある放出装置を示している。歯車１０の継続した回転により、放出装置５は再びハウジング内に戻される。正確には、ロッド２２のステップ２１がスイッチ装置１６に当接するまで戻される。スイッチ装置１６が作動されると駆動ユニット７のスイッチが切られ、家具駆動装置１は再び図９ａに示すその始動位置に戻る。
【００４０】
図面の２つの実施例とは異なり、歯車１０の代わりに適切な駆動手段を介して駆動ユニット７によって駆動されるあらゆる形態の輪体を利用することもできるであろう。例えば、歯形輪の代わりに摩擦輪を提供することもできるであろう。当然ながらこの場合スピンドル９は摩擦輪のための適した駆動機構に置換される必要がある。
【図１】
0005731971.tif 000002
【図２ａ】
0005731971.tif 000003
【図２ｂ】
0005731971.tif 000004
【図３ａ】
0005731971.tif 000005
【図３ｂ】
0005731971.tif 000006
【図４ａ】
0005731971.tif 000007
【図４ｂ】
0005731971.tif 000008
【図４ｃ】
0005731971.tif 000009
【図５ａ】
0005731971.tif 000010
【図５ｂ】
0005731971.tif 000011
【図５ｃ】
0005731971.tif 000012
【図６】
0005731971.tif 000013
【図７ａ】
0005731971.tif 000014
【図７ｂ】
0005731971.tif 000015
【図８ａ】
0005731971.tif 000016
【図８ｂ】
0005731971.tif 000017
【図９ａ】
0005731971.tif 000018
【図９ｂ】
0005731971.tif 000019